(57)【要約】【課題】内筒体と受皿体とを成形型面の一部として、棒状化粧料を成形と同時に収納保持するようにした繰り出し容器において、受皿体の内と外の化粧料の冷却固化に時間差が生じても、この時間差により、受皿体の内と外の化粧料の境界部分の機械的強度の劣化発生を防止することにより、受皿体の内と外との化粧料の境界部分の折れ易さの発生を防止することを目的とする。【解決手段】化粧料Ｋを保持する受皿体３６を内装した内筒体３０と外筒体２との相対回動により、受皿体３６を昇降変位させて、化粧料Ｋを出し入れし、化粧料Ｋを、内筒体３０の上半である収納筒部３１と、受皿体３６の受筒部３９とを成形型の一部として冷却固化成形すると同時に、収納保持する繰り出し容器において、受筒部３９を、上部の先端筒片部４０と、下部の基端筒片部４３と、基端筒片部４３と先端筒片部４０とを、上下に弾性変形自在な細長片で連結するばね部４２とから構成し、ばね部４２で化粧料Ｋに対する冷却力を有効に受けると共に、冷却固化に伴う化粧料の収縮変形を吸収する。【選択図】図１４
2005066113.tif 000002
【特許請求の範囲】
【請求項１】
棒状化粧料(K)を保持する受皿体(36)を昇降変位可能に内装した内筒体(30)に外筒体(2)を外装し、該外筒体(2)と内筒体(30)との相対回動により、前記受皿体(36)を昇降変位させて、前記化粧料(K)を内筒体(30)から出し入れし、前記化粧料(K)を、前記内筒体(30)の上半である収納筒部(31)と、前記受皿体(36)の上部部分である受筒部(39)とを成形型の一部として冷却固化成形すると同時に、収納保持する繰り出し容器において、前記受筒部(39)を、上部の先端筒片部(40)と、下部の基端筒片部(43)と、該基端筒片部(43)と先端筒片部(40)とを、上下に弾性変形自在な細長片で連結するばね部(42)とから構成した繰り出し容器。
【請求項２】
受皿体(36)の基端筒片部(43)に、複数の開放孔(44)を開設した請求項１記載の繰り出し容器。
【請求項３】
受皿体(36)の先端筒片部(40)の上端縁から下部にかけて、該先端筒片部(40)の筒壁を切除した構成で、複数の切込み部(41)を形成した請求項１または２記載の繰り出し容器。
【請求項４】
内周面に螺溝(19)を刻設し、内筒体(30)の下半であるガイド筒部(32)に回動可能に外装して、前記内筒体(30)と組合さって受皿体(36)を昇降変位させる機能部分を構成する螺筒体(17)の、下降限に位置した前記受皿体(36)の開放孔(44)に対向する上端部に複数の窓孔(22)を開設した請求項２または３記載の繰り出し容器。
【請求項５】
窓孔(22)を、螺溝(19)の底壁部分に、該螺溝(19)に沿って開設した請求項４記載の繰り出し容器。
【請求項６】
受皿体(36)が下降限に位置した際に、該受皿体(36)の螺合ピン(38)が乗り越え係止する止め片(20)を、螺筒体(17)の螺溝(19)部分に設けた請求項４記載の繰り出し容器。
【発明の詳細な説明】
【技術分野】
【０００１】
本発明は、口紅等の棒状化粧料を、繰り出し、繰り入れ可能に収納する繰り出し容器に関するものである。
【背景技術】
【０００２】
口紅やスティックファンデーション等の棒状化粧料を収納する繰り出し容器の一つとして、繰り出し容器の構成部分である内筒体および受皿体を、棒状化粧料の成形型枠として、加熱溶融化粧料を、内筒体の下端開口部から注入充填する方式（底充填方式）か、内筒体の上端開口部から注入充填する方式（上充填方式）により成形することにより、棒状化粧料の冷却固化成形と同時に、繰り出し容器への組付けを達成するものがある。
【０００３】
このものは、棒状化粧料の成形と、繰り出し容器への組付けを同時に達成できるので、きわめて良好な生産性を得ることができるのであるが、棒状化粧料が、直接内筒体内に位置する部分と、受皿体を介して内筒体内に位置する部分とに分かれることになるので、両部分に対する外部からの冷却力の作用程度に差が発生し、この差により成形された棒状化粧料の機械的強度が低下する、と云う不満があった。
【０００４】
この不満を解消する繰り出し容器の従来技術として、化粧料が接合する受皿体箇所に、この受皿体の壁を貫通する貫通孔を形成し、この貫通孔を通して受皿体内の化粧料に外部からの冷却力を有効に作用させ、また貫通孔に棒状化粧料の一部を位置させることにより、棒状化粧料が受皿体から抜けたり、折れたりするのを防止するものがある。
【特許文献１】特開２００２−０００３４９号公報
【発明の開示】
【発明が解決しようとする課題】
【０００５】
しかしながら、受皿体の貫通孔は、受皿体の内と外の化粧料に対する冷却効率の差を緩和するのには有効に作用するのであるが、受皿体の内と外の化粧料間に発生する、冷却による収縮変形動作の時間差に起因する折れ対策は不充分である、と云う不満があった。
【０００６】
すなわち、受皿体の内と外の化粧料に対する冷却固化は、受皿体に貫通孔を設けることにより、受皿体内の化粧料に対する冷却効率が高められることは確かであるものの、受皿体外の化粧料に対する冷却効率程度に達することはなく、受皿体内の化粧料の冷却固化が、受皿体外の化粧料の冷却固化よりも遅れるのはそのままであった。
【０００７】
このように、受皿体内の化粧料が、受皿体外の化粧料に遅れて冷却固化すると、冷却固化の際に発生する収縮変形に伴う歪が、受皿体内外の化粧料の境界部分に集中して、この境界部分の化粧料の機械的強度を低下させるので、化粧料がこの境界部分で折れ易くなるのである。
【０００８】
そこで、本発明は、上記した従来技術における問題点を解消すべく創案されたもので、内筒体と受皿体とを成形型面の一部として、棒状化粧料を成形と同時に収納保持するようにした繰り出し容器において、受皿体の内と外の化粧料の冷却固化に伴う収縮変形発生に時間差が生じても、この時間差により、受皿体の内と外の化粧料の境界部分の機械的強度の劣化発生を防止することを技術的課題とし、もって受皿体の内と外との化粧料の境界部分の折れ易さの発生を防止することを目的とする。
【課題を解決するための手段】
【０００９】
上記技術的課題を解決する本発明の内、請求項１記載の発明の手段は、
棒状化粧料を保持する受皿体を昇降変位可能に内装した内筒体に外筒体を外装し、この外筒体と内筒体との相対回動により、受皿体を昇降変位させて、化粧料を内筒体から出し入れし、化粧料を、内筒体の上半である収納筒部と、受皿体の上部部分である受筒部とを成形型の一部として冷却固化成形すると同時に、収納保持する繰り出し容器に関するものであること、
受筒部を、上部の先端筒片部と、下部の基端筒片部と、この基端筒片部と先端筒片部とを、上下に弾性変形自在な細長片で連結するばね部とから構成すること、
にある。
【００１０】
この請求項１記載の発明にあっては、受皿体の、化粧料保持部分である受筒部が、先端筒片部と、細長片で構成されたばね部と、そして基端筒片部とから構成されており、ばね部に位置した化粧料は、細長片位置する部分を除いて、受筒部内から露出することになり、その分、冷却作用を効率良く受け、受筒部内の化粧料の冷却固化を促進させることになる。
【００１１】
また、ばね部に位置した化粧料は、冷却固化して、縦方向の収縮変形が発生しても、それ自体が、細長片を弾性変形させながら収縮変形するだけ、収縮変形に伴う歪をそれ自体の内部で消滅させてしまうので、この収縮変形により、上の先端筒片部内の化粧料および下の基端筒片部内の化粧料との境界部分に、機械的強度を劣化させる歪を生じさせることがない。
【００１２】
さらに、ばね部の存在により、先端筒片部内および基端筒片部内に位置する化粧料の高さ幅を充分に小さくすることができるので、先端筒片部内および基端筒片部内に位置する化粧料に発生する冷却固化に伴う縦方向の収縮変形量は、きわめて小さなものとなり、これにより先端筒片部の先端縁に対向する化粧料部分に集中する、冷却固化に伴う歪を、きわめて小さいものに抑制することになる。
【００１３】
請求項２記載の発明は、請求項１記載の発明の構成に、受皿体の基端筒片部に、複数の開放孔を開設した、ことを加えたものである。
【００１４】
この請求項２記載の発明にあっては、化粧料の冷却固化成形に際して、基端筒片部内の化粧料に対して、開放孔を通して冷却力が効率良く作用するので、基端筒片部内の化粧料の冷却固化を、速やかにかつ確実に達成する。
【００１５】
請求項３記載の発明は、請求項１または２記載の発明の構成に、受皿体の先端筒片部の上端縁から下部にかけて、この先端筒片部の筒壁を切除した構成で、複数の切込み部を形成した、ことを加えたものである。
【００１６】
この請求項３記載の発明にあっては、先端筒片部の上端縁が、複数の切込み部により、上下に大きく変化する波形状となるので、先端筒片部外に突き出た化粧料の主体部分と、先端筒片部内の化粧料部分との境界が、横一本線の直線状ではなく、波形状となるので、先端筒片部の外と内の化粧料部分の間に、冷却固化の時間差による歪が発生したとしても、この歪は、波形状に沿って分散されて、直線状に集中することがないので、先端筒片部の外と内の化粧料部分の境界の機械的強度の低下を防止することになる。
【００１７】
請求項４記載の発明は、請求項２または３記載の発明の構成に、内周面に螺溝を刻設し、内筒体の下半であるガイド筒部に回動可能に外装して、内筒体と組合さって受皿体を昇降変位させる機能部分を構成する螺筒体の、下降限に位置した受皿体の開放孔に対向する上端部に複数の窓孔を開設した、ことを加えたものである。
【００１８】
この請求項４記載の発明にあっては、内筒体と受皿体と螺筒体との組合せ物を用いて化粧料の冷却固化成形を行うに際して、冷気の通過が自在な螺筒体の窓孔が、下降限に位置した、すなわち化粧料の冷却固化成形位置に位置した受皿体の開放孔に対向して位置するので、螺筒体が化粧料の冷却固化成形に不都合な断熱作用を与えることがなく、内筒体と受皿体と螺筒体との組合せ物である内装体に対して、化粧料を直接収納成形することが、不都合なく可能となる。
【００１９】
請求項５記載の発明は、請求項４記載の発明の構成に、窓孔を、螺溝の底壁部分に、この螺溝に沿って開設した、ことを加えたものである。
【００２０】
この請求項５記載の発明にあっては、窓孔を、螺溝の螺旋構造を損なうことなく、また螺筒体の機械的強度の不都合な低下を生じることなく形成することができ、また窓孔の開口面積を大きなものとすることが容易となる。
【００２１】
請求項６記載の発明は、請求項４記載の発明の構成に、受皿体が下降限に位置した際に、この受皿体の螺合ピンが乗り越え係止する止め片を、螺筒体の螺溝部分に設けた、ことを加えたものである。
【００２２】
この請求項６記載の発明にあっては、受皿体の螺合ピンに対する、螺筒体の止め片の係止作用により、螺筒体と内筒体との組合せ物に対して、受皿体を安定して下降限位置に位置させ、かつ化粧料の注入成形処理前の取扱い時においても、この状態を安定して保持することになる。
【発明の効果】
【００２３】
本発明は、上記した構成となっているので、以下に示す効果を奏する。
請求項１記載の発明にあっては、化粧料を挿入保持する受皿体の受筒部に、挿入位置させた化粧料の大部分を、受筒部内から露出させるばね部を設けたので、受筒部内の化粧料に冷却力を効果的に作用させることができ、これにより受皿体内の化粧料の冷却固化を促進させ、受皿体外の化粧料との冷却固化速度の差を小さくして、両者間に発生する歪を充分に小さくすることができ、これにより成形される化粧料の機械的強度を高めることができる。
【００２４】
また、ばね部に位置した化粧料は、冷却固化に伴う縦方向の収縮変形に伴う歪を、それ自体の変形により略消滅させてしまうので、機械的強度の安定した化粧料を成形することができる。
【００２５】
さらに、ばね部における化粧料の縦方向の収縮変形の自由度を高め、また、受筒部における、縦方向の収縮変形が規制される部分の高さ幅、すなわち先端筒片部および基端筒片部の高さ幅が充分に小さくなり、これにより冷却速度の差に伴う歪の発生を、充分に抑制することができ、化粧料に安定した強度を付与することができる。
【００２６】
請求項２記載の発明にあっては、基端筒片部内の化粧料に対して、開放孔を通して冷却力を効率良く作用させて、基端筒片部内の化粧料の冷却固化を、速やかにかつ確実に達成することができるので、ばね部内の化粧料との冷却速度の差を充分に小さくすることができ、これにより歪の発生を効果的に抑制することができる。
【００２７】
請求項３記載の発明にあっては、先端筒片部の上端縁が、横一本線の直線状ではなく、波形状となるので、先端筒片部の外と内の化粧料部分の間に、冷却固化の時間差による歪が発生したとしても、この歪は、先端筒片部の外と内の化粧料部分の波形状となった境界に沿って分散されて、直線状に集中することがないので、歪による化粧料の機械的強度の低下を確実に防止し、化粧料に必要とする強度を付与することができる。
【００２８】
請求項４記載の発明にあっては、螺筒体が、化粧料の冷却固化成形に不都合な断熱作用を与えることがないようにすることができるので、内筒体と受皿体と螺筒体との組合せ物である内装体に、化粧料を直接収納成形することが、何ら不都合なく、行うことができ、これにより成形された化粧料の取扱いがきわめて簡単で良好なものとすることができる。
【００２９】
請求項５記載の発明にあっては、窓孔を、安全にかつ充分に効果を発揮できる状態で設けることができる。
【００３０】
請求項６記載の発明にあっては、螺筒体と内筒体との組合せ物に対して、受皿体を安定して下降限位置に位置させ、かつ化粧料の注入成形処理前の取扱い時においても、この状態を安定して保持するので、化粧料の注入成形処理前の取扱い時において、内装体を安定して適正な状態に維持することができ、これにより化粧料の安定して良好な成形を得ることができる。
【発明を実施するための最良の形態】
【００３１】
以下、本発明の一実施形態を、図面を参照しながら説明する。
本発明による繰り出し容器は、外筒体２とシール筒体１２とから成る外装体１と、螺筒体１７と内筒体３０と受皿体３６とから成る内装体１６と、そしてキャップ４５とから構成されている。
【００３２】
外筒体２（以下、図２ないし図４参照）は、直線円筒形状をした本体筒３の上端に、段部９を介して縮径した短筒状の着脱筒片１０を起立設して構成され、本体筒３の内周面上端部には、シール筒体１２を組付けるための、複数の縦条状の係止条８と組付け周溝７とが設けられており、また内周面中央部には、多数の係止縦条４がローレット状に設けられており、そして内周面下端部には、係止周溝５と係止周条６とから成る第１係止機能部ａが形成されている。
【００３３】
キャップ４５の着脱部分を提供する着脱筒片１０は、その外周面が正多角形状(特に、図３参照)をしており、この外周面に適当数（図示実施例の場合、３個）の押圧突片１１を設けることにより、キャップ４５が、回動変位不能に、外嵌組付きするようにしている。
【００３４】
シール筒体１２（図５参照）は、軟質弾性材製の短円筒状体で、外周面に、外筒体２の係止条８と係止する多数のローレット状の縦条１４を設け、外周面下端に、外筒体２の組付け周溝７に係合する組付き周条１３を設け、そして内周面上端にシール周条１５を設けて構成され、係止条８に縦条１４を係止させると共に、組付け周溝７に組付き周条１３を係合させて、外筒体２内に不動に組付く。
【００３５】
内装体１６を構成する螺筒体１７（以下、図６ないし図８参照）は、直線円筒状の本体部１８の内周面に、下端部の溝底面（図６参照）または溝壁面（図７参照）に突出高さの低い止め片２０を突設した二条の螺溝１９を刻設し、また本体部１８の外周面に、外筒体２の係止縦条４に係止する複数の縦突条２１を設け、本体部１８の下端部を組付き部２３として構成されている。
【００３６】
本体部１８の上端部には、螺溝１９の底壁に、螺溝１９に沿って、螺溝１９よりもわずかに幅の小さい複数の窓孔２２が開設されているが、この窓孔２２が螺溝１９の底壁に、螺溝１９に沿って成形されていることにより、窓孔２２を開設することによる、螺筒体１７の機械的強度の低下を充分に小さくし、窓孔２２が螺溝１９よりも小さい幅となっていることにより、螺溝１９の螺旋機能に支障を与えないようにしている。
【００３７】
組付き部２３は、その外周面、すなわち本体部１８の外周面下端部に、第１係止機能部ａと係止する、係止突片２４と係止凹溝２５とから成る第２係止機能部ｂを形成すると共に、内鍔状の底鍔片２６を介して短円筒状の内筒片２７を垂下連設し、底鍔片２６および内筒片２７を含めた全体に、複数（図示実施例の場合、２個）の割り溝２９を設けて構成されている。
【００３８】
この組付き部２３を構成する内筒片２７は、その外周面を、上方に拡径したテーパ面状の斜面２８としており、この斜面２８は、その下端の径寸法と上端の径寸法との差が、両係止機能部ａ、ｂの係止高さ寸法の２倍以上となるように、高さおよび傾斜角度が設定されている。
【００３９】
内装体１６の構成部材である内筒体３０（図９参照）は、その全体が金属により成形されて（合成樹脂で成形されても良い）おり、化粧料Ｋの成形型面を提供すると共に、この化粧料Ｋを収納する直線円筒状の収納筒部３１の下端に、外方に突出する係止突部３５を介して、その略全高さ範囲に亘ってガイド孔３３を形成したガイド筒部３２を垂下連設して構成されている。
【００４０】
この内筒体３０のガイド孔３３は、ガイド筒部３２の下端縁に達する割り溝状となっており、これにより受皿体３６の挿入組付けを可能としているが、この受皿体３６の妄りな抜け出しを防止すべく、ガイド孔３３の下端部には、ガイド孔３３の幅を狭めて、受皿体３６の螺合ピン３８の抜け出しを阻止する抜け止め突片３４が突設されている。
【００４１】
また、収納筒部３１の外周面には、シール筒体１２のシール周条１５が密に摺接しているので、内筒体３０の螺筒体１７に対する回動動作に、適当な抵抗を与えることになり、これにより化粧料Ｋの繰り出し動作に、好ましい使用感を与えることができる。
【００４２】
内装体１６の構成部材である受皿体３６（以下、図１０ないし図１３参照）は、内筒体３０内に摺動昇降変位可能に挿入する直線円筒状体の外周面下端部に、内筒体３０のガイド孔３３を貫いて螺筒体１７の螺溝１９に螺合する一対の螺合ピン３８を突設して構成されており、この螺合ピン３８は、受皿体３６が内装体１６の下降限に位置した際に、螺筒体１７の止め片２０に乗り越え係止する。
【００４３】
この受皿体３６は、下降限に位置した状態で、その上端部分を螺筒体１７内から上方に突出させる程度の高さを有しており、螺筒体１７の窓孔２２に対向する箇所を下位に含んだ上部を、化粧料Ｋを挿入保持する受筒部３９とし、残部を、内筒体３０内における受皿体３６の姿勢を、一定に安定して維持する組付き筒部３７としている。
【００４４】
受筒部３９は、上から順に、先端筒片部４０とばね部４２と基端筒片部４３とに区画されており、ばね部４２は、上下方向に弾性変形自在な数本（図示実施例の場合、２本）の螺旋状に曲がった細長片で構成されているので、先端筒片部４０と基端筒片部４３とは、この数本の細長片で連結されていることになる。
【００４５】
このように、ばね部４２は数本の細長片だけで構成されているので、このばね部４２に位置した化粧料は、細長片に対向する部分を除く全ての部分で、受皿体３６から露出することになる。
【００４６】
なお、ばね部４２を構成する細長片は、その形状が螺旋状に曲がった細長片に限定されることはなく、くの字状に折れ曲がったまたは円弧状に曲がった細長片であっても良く、要は、先端筒片部４０と基端筒片部４３とを、安定に連結しながら、上下方向に弾性変形できるものであれば良い。
【００４７】
先端筒片部４０は、その上端縁から下部にかけて、複数のＶ字状をした切込み部４１を、周方向に沿って連続形成しており、これにより先端筒片部４０の上端縁、すなわち受皿体３６の上端縁を、横一直線状ではなく、三角波形状に成形している。
【００４８】
基端筒片部４３には、受皿体３６が下降限に位置した状態で、螺筒体１７に形成された窓孔２２に対向する位置に複数の開放孔４４が開設されており、この基端筒片部４３内の化粧料Ｋに対して、窓孔２２を通過してきた冷気の冷却力が、開放孔４４を通して有効に作用するようにしている。
【００４９】
有頂円筒形状をしたキャップ４５（図１参照）は、下端開口部の内周面を、外筒体２の着脱筒片１０の外周面と同じ正多角形状としており、これにより外筒体２に対して回動不能に嵌装することになり、また内筒体２９の収納筒部３０に密に外嵌する、有頂円筒形状をしたシール筒片４６を内装固定している。
【００５０】
このように、シール筒片４６が内筒体３０に密に外嵌するので、キャップ４５が外筒体２に対して空転可能に組付くものであると、キャップ４５が組付いた状態で、外筒体２と内筒体３０との間に相対回動が発生し、これにより収納されている化粧料Ｋが不正に繰り出されて、その先端をキャップ４５に突き当てる“天突き”事故が発生することになるが、キャップ４５は外筒体２に空転不能に組付くので、このような事故の発生する恐れはない。
【００５１】
図１４は、内装体１６を利用した、化粧料Ｋの底充填方式による冷却固化成形を説明するためのもので、受皿体３６を下降限に位置させ、内筒体３０の収納筒部３１の上端を、型蓋４７を外嵌組付けして密に閉鎖した内装体１６を逆立姿勢に保持し、螺筒体１７の内筒片２７で開放された下端から、加熱溶融化粧料Ｋを内装体１６内に、この加熱溶融化粧料Ｋの液面が、開放孔４４を開設した受皿体３６の基端筒片部４３の下端（図１４においては、上端）に達するまで定量注入する。
【００５２】
内装体１６内への加熱溶融化粧料Ｋの定量注入が完了したならば、この内装体１６全体を冷却して化粧料Ｋを固化させるが、この際、図１４から明らかなように、螺筒体１７に対向して位置する受皿体３６の基端筒片部４３に開設された開放孔４４は、螺筒体１７の窓孔２２に対向して位置するので、螺筒体１７に邪魔されることなく、窓孔２２を通して加熱溶融化粧料Ｋに冷却力を伝えることになる。
【００５３】
化粧料Ｋの成形および収納が完了したならば、図１５に示すように、型蓋４７を外した内装体１６を外装体１に下方から挿入し、第１係止機能部ａと第２係止機能部ｂとを係止させて、繰り出し容器の組立てを達成する。
【００５４】
なお、図１６は、外装体１と内装体１６との分別を説明するためのもので、内筒片２７の斜面２８下端の径寸法と等しい内径寸法を有する円筒形状をした組外し治具Ｍを押し上げて、内筒片２７に強引に外嵌させると、割り溝２９の形成されている組付き部２３は、縮径方向に撓み弾性変形（図１６中、二点鎖線図示）するので、第１係止機能部ａと第２係止機能部ｂの係止が解除される。
【００５５】
この状態のまま、外装体１に対して内装体１６を引き下げれば、内装体１６は外装体１内から抜け出され、外装体１と内装体１６との分離が達成される。
【００５６】
なお、上記した実施例は、底充填方式による化粧料Ｋの成形収納に関して説明したが、受皿体３６の上端部の下端に隔壁を設ける等の手段により、受皿体３６の上端部の下端に、注入充填される加熱溶融化粧料を収納する空間部分の底機能部を設けることにより、上充填方式による化粧料Ｋの成形収納の実施が、可能であることは云うまでもない。
【図面の簡単な説明】
【００５７】
【図１】本発明の一実施例を示す縦断面図で、右半分は非繰り出し状態図、左半分は繰り出し状態図である。
【図２】図１に示した実施例の、外筒体を示す半縦断拡大正面図である。
【図３】図２に示した外筒体の、平面図である。
【図４】図２に示した外筒体の、底面図である。
【図５】図１に示した実施例の、シール筒体を示す半縦断拡大正面図である。
【図６】図１に示した実施例の、螺筒体を示す不規則半縦断した拡大正面図である。
【図７】螺筒体の他の実施例を示す、不規則半縦断した拡大正面図である。
【図８】図６に示した螺筒体の、平面図である。
【図９】図６に示した螺筒体の、底面図である。
【図１０】図１に示した実施例の、内筒体を示す縦断正面図である。
【図１１】図１に示した実施例の、受皿体の拡大正面図である。
【図１２】図１０に示した受皿体の、拡大側面図である。
【図１３】図１０に示した受皿体の、縦断拡大側面図である。
【図１４】図１０に示した受皿体の、図１１中Ａ−Ａ線に沿って切断矢視した平断面図である。
【図１５】化粧料の冷却成形処理の一例を示す、拡大縦断面図である。
【図１６】外装体と内装体との組付け状態を示す、説明図である。
【図１７】外装体と内装体との分離処理の一例を示す、要部拡大説明図である。
【符号の説明】
【００５８】
１    ；  外装体
２    ；  外筒体
３    ；  本体筒
４    ；  係止縦条
ａ    ；  第１係止機能部
５    ；  係止周溝
６    ；  係止周条
７    ；  組付け周溝
８    ；  係止条
９    ；  段部
１０  ；  着脱筒片
１１  ；  押圧突片
１２  ；  シール筒体
１３  ；  組付き周条
１４  ；  縦条
１５  ；  シール周条
１６  ；  内装体
１７  ；  螺筒体
１８  ；  本体部
１９  ；  螺溝
２０；  止め片
２１  ；  縦突条
２２  ；  窓孔
２３  ；  組付き部
ｂ  ；  第２係止機能部
２４  ；  係止突片
２５  ；  係止凹溝
２６  ；  底鍔片
２７  ；  内筒片
２８  ；  斜面
２９  ；  割り溝
３０  ；  内筒体
３１  ；  収納筒部
３２  ；  ガイド筒部
３３  ；  ガイド孔
３４  ；  抜け止め突片
３５  ；  係止突部
３６  ；  受皿体
３７  ；組付き筒部
３８  ；  螺合ピン
３９  ；  受筒部
４０  ；  先端筒片部
４１  ；  切込み部
４２  ；  ばね部
４３  ；  基端筒片部
４４  ；  開放孔
４５  ；  キャップ
４６  ；  シール筒片
４７  ；  型蓋
Ｋ  ；  化粧料
Ｍ  ；  組外し治具
【図１】
2005066113.tif 000003
【図２】
2005066113.tif 000004
【図３】
2005066113.tif 000005
【図４】
2005066113.tif 000006
【図５】
2005066113.tif 000007
【図６】
2005066113.tif 000008
【図７】
2005066113.tif 000009
【図８】
2005066113.tif 000010
【図９】
2005066113.tif 000011
【図１０】
2005066113.tif 000012
【図１１】
2005066113.tif 000013
【図１２】
2005066113.tif 000014
【図１３】
2005066113.tif 000015
【図１４】
2005066113.tif 000016
【図１５】
2005066113.tif 000017
【図１６】
2005066113.tif 000018
【図１７】
2005066113.tif 000019